(57)【特許請求の範囲】
【請求項１】
第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力手段と、
番組表のデータと、前記入力手段により受理された前記指示に従い、前記番組のコンテンツデータを受信する受信手段と、
前記受信手段により受信された前記番組表のデータと前記コンテンツデータを記憶する記憶手段と、
前記入力手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信する送信手段と、
前記番組表のデータを前記第１の装置に適した符号化方式で符号化し、前記コンテンツデータを前記第２の装置に適した符号化方式で符号化する符号化手段と
を備え、
前記番組表のデータは、前記第１の装置に、前記コンテンツデータは、前記第２の装置にそれぞれ適した符号化方式で前記符号化手段により符号化された後に、前記送信手段により送信される
情報処理装置。
【請求項２】
前記受信手段により受信された前記コンテンツデータを復号し、その復号された前記コンテンツデータを、前記符号化手段は符号化し、その符号化された前記コンテンツデータを、前記記憶手段は記憶する
請求項１に記載の情報処理装置。
【請求項３】
前記記憶手段に記憶された前記コンテンツデータを復号し、その復号された前記コンテンツデータを、前記符号化手段は符号化し、その符号化された前記コンテンツデータを、前記送信手段は送信する
請求項１に記載の情報処理装置。
【請求項４】
前記記憶手段により記憶された前記コンテンツデータのデータ量か、または、記憶時間に対応して課金する課金手段を
さらに備える請求項１に記載の情報処理装置。
【請求項５】
入力制御手段、受信手段、記憶手段、送信手段、および符号化手段を備える情報処理装置の情報処理方法において、
前記入力制御手段が、第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力し、
前記受信手段が、番組表のデータと、前記入力制御手段により受理された前記指示に従い、前記番組のコンテンツデータを受信し、
前記記憶手段が、受信された前記番組表のデータと前記コンテンツデータを記憶し、
前記送信手段が、前記入力制御手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信し、
前記符号化手段が、前記番組表のデータを前記第１の装置に適した符号化方式で符号化し、前記コンテンツデータを前記第２の装置に適した符号化方式で符号化する
ステップを含み、
前記番組表のデータは、前記第１の装置に、前記コンテンツデータは、前記第２の装置にそれぞれ適した符号化方式で前記符号化手段により符号化された後に、前記送信手段により送信される
情報処理方法。
【請求項６】
入力制御手段、受信手段、記憶手段、送信手段、および符号化手段を備える情報処理装置に、
前記入力制御手段が、第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力し、
前記受信手段が、番組表のデータと、前記入力制御手段により受理された前記指示に従い、前記番組のコンテンツデータを受信し、
前記記憶手段が、受信された前記番組表のデータと前記コンテンツデータを記憶し、
前記送信手段が、前記入力制御手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信し、
前記符号化手段が、前記番組表のデータを前記第１の装置に適した符号化方式で符号化し、前記コンテンツデータを前記第２の装置に適した符号化方式で符号化する
ステップを含み、
前記番組表のデータは、前記第１の装置に、前記コンテンツデータは、前記第２の装置にそれぞれ適した符号化方式で前記符号化手段により符号化された後に、前記送信手段により送信される
処理を実行させるコンピュータが読み取り可能なプログラムが記録されている記録媒体。
【請求項７】
ネットワークを介してデータの授受を行う第１の情報処理装置と第２の情報処理装置から構成される情報処理システムにおいて、
前記第１の情報処理装置は、
前記第２の情報処理装置に対して、所定の番組の録画を指示する第１の指示手段と、
前記第１の指示手段による指示に対応して、前記第２の情報処理装置が録画した番組のコンテンツデータの送信を、前記第２の情報処理装置に対して指示する第２の指示手段と、
前記第２の指示手段による指示に対応して、前記第２の情報処理装置が送信した前記コンテンツデータを受信し再生する再生手段と
を含み、
前記第２の情報処理装置は、
前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行う設定手段と、
番組表のデータと、前記設定手段により受理された前記指示に従い、前記番組のコンテンツデータを受信する受信手段と、
前記受信手段により受信された前記番組表のデータと前記コンテンツデータを記憶する記憶手段と、
前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信する送信手段と、
前記番組表のデータと前記コンテンツデータを前記第１の情報処理装置に適した符号化方式で符号化する符号化手段と
を備え、
前記番組表のデータと前記コンテンツデータは、前記第１の情報処理装置に適した符号化方式で符号化された後に前記第１の情報処理装置に送信される
情報処理システム。
【請求項８】
ネットワークを介してデータの授受を行う第１の情報処理装置と第２の情報処理装置から構成される情報処理システムの情報処理方法において、
第１の指示手段、第２の指示手段、および生成手段を備える前記第１の情報処理装置の情報処理方法は、
前記第１の指示手段が、前記第２の情報処理装置に対して、所定の番組の録画を指示し、
前記第２の指示手段が、前記第１の指示手段による指示に対応して、前記第２の情報処理装置が録画した番組のコンテンツデータの送信を、前記第２の情報処理装置に対して指示し、
前記再生手段が、前記前記第２の指示手段による指示に対応して、前記第２の情報処理装置が送信した前記コンテンツデータを受信し再生する
ステップを含み、
設定手段、受信手段、記憶手段、送信手段、および符号化手段を備える前記第２の情報処理装置の情報処理方法は、
前記設定手段が、前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行い、
前記受信手段が、番組表のデータと、前記設定手段により受理された前記指示に従い、前記番組のコンテンツデータを受信し、
前記記憶手段が、前記受信手段により受信された前記番組表のデータと前記コンテンツデータを記憶し、
前記送信手段が、前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信し、
前記符号化手段が、前記番組表のデータと前記コンテンツデータを前記第１の情報処理装置に適した符号化方式で符号化する
ステップを含み、
前記番組表のデータと前記コンテンツデータは、前記第１の情報処理装置に適した符号化方式で符号化された後に前記第１の情報処理装置に送信される
情報処理方法。
【請求項９】
ネットワークを介してデータの授受を行う第１の情報処理装置と第２の情報処理装置から構成される情報処理システムの情報処理用のプログラムであって、
第１の指示手段、第２の指示手段、および生成手段を備える前記第１の情報処理装置の情報処理用のプログラムは、
前記第１の指示手段が、前記第２の情報処理装置に対して、所定の番組の録画を指示し、
前記第２の指示手段が、前記第１の指示手段による指示に対応して、前記第２の情報処理装置が録画した番組のコンテンツデータの送信を、前記第２の情報処理装置に対して指示し、
前記再生手段が、前記前記第２の指示手段による指示に対応して、前記第２の情報処理装置が送信した前記コンテンツデータを受信し再生する
ステップを含み、
設定手段、受信手段、記憶手段、送信手段、および符号化手段を備える前記第２の情報処理装置の情報処理用のプログラムは、
前記設定手段が、前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行い、
前記受信手段が、番組表のデータと、前記設定手段により受理された前記指示に従い、前記番組のコンテンツデータを受信し、
前記記憶手段が、前記受信手段により受信された前記番組表のデータと前記コンテンツデータを記憶し、
前記送信手段が、前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信し、
前記符号化手段が、前記番組表のデータと前記コンテンツデータを前記第１の情報処理装置に適した符号化方式で符号化する
ステップを含み、
前記番組表のデータと前記コンテンツデータは、前記第１の情報処理装置に適した符号化方式で符号化された後に前記第１の情報処理装置に送信される
コンピュータが読み取り可能なプログラムが記録されている記録媒体。
【発明の詳細な説明】
【０００１】
【発明の属する技術分野】
本発明は情報処理装置および方法、情報処理システム、並びに記録媒体に関し、デジタル放送の番組を携帯情報端末において視聴できるようにする情報処理装置および方法、情報処理システム、並びに記録媒体に関する。
【０００２】
【従来の技術】
携帯型の電話、ラジオ、ゲームなどが普及している。また、DVD（Digital video Disc）プレーヤや、アナログ地上波放送を受信、再生するテレビジョン受像機などの映像再生装置も携帯可能な大きさの装置として普及しつつある。
【０００３】
【発明が解決しようとする課題】
しかしながら、デジタルテレビジョン放送を受信し、再生するテレビジョン受像機を携帯可能な大きさの装置とするためには、まず、アンテナを含めた受信装置のサイズを小さくしなくてはならないが、そのようなことは困難であるといった課題があった。また、デジタルテレビジョン放送に用いられる符号化方式で符号化されたコンテンツデータを復号するためには、高度な演算が必要となるために、消費電力が大きくなるために、小型化が難しいといった課題があった。
【０００４】
ところで、デジタルテレビジョン放送を受信し、所望の番組を録画し、後の時点において視聴するといったような場合、録画するための録画装置が必要であり、その録画装置を含めて携帯可能なサイズに小型化するのは困難であるといった課題があった。
【０００５】
本発明はこのような状況に鑑みてなされたものであり、携帯可能な装置とは別の装置にデジタルテレビジョン放送による番組を録画しておき、その録画された番組を携帯可能な装置で視聴できるようにすることにより、携帯可能な装置においても、デジタルテレビジョン放送による番組を視聴できるようにすることを目的とする。
【０００６】
【課題を解決するための手段】
本発明の一側面の情報処理装置は、第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力手段と、番組表のデータと、前記入力手段により受理された前記指示に従い、前記番組のコンテンツデータを受信する受信手段と、前記受信手段により受信された前記番組表のデータと前記コンテンツデータを記憶する記憶手段と、前記入力手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信する送信手段と、前記番組表のデータを前記第１の装置に適した符号化方式で符号化し、前記コンテンツデータを前記第２の装置に適した符号化方式で符号化する符号化手段とを備え、前記番組表のデータは、前記第１の装置に、前記コンテンツデータは、前記第２の装置にそれぞれ適した符号化方式で前記符号化手段により符号化された後に、前記送信手段により送信される。
【０００７】
前記受信手段により受信された前記コンテンツデータを復号し、その復号された前記コンテンツデータを、前記符号化手段は符号化し、その符号化された前記コンテンツデータを、前記記憶手段は記憶するようにすることができる。
【０００８】
前記記憶手段に記憶された前記コンテンツデータを復号し、その復号された前記コンテンツデータを、前記符号化手段は符号化し、その符号化された前記コンテンツデータを、前記送信手段は送信するようにすることができる。
【０００９】
前記記憶手段により記憶されたコンテンツデータのデータ量か、または、記憶時間に対応して課金する課金手段をさらに含むようにすることができる。
【００１０】
本発明の一側面の第１の情報処理方法は、入力制御手段、受信手段、記憶手段、送信手段、および符号化手段を備える情報処理装置の情報処理方法において、前記入力制御手段が、第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力し、前記受信手段が、番組表のデータと、前記入力制御手段により受理された前記指示に従い、前記番組のコンテンツデータを受信し、前記記憶手段が、受信された前記番組表のデータと前記コンテンツデータを記憶し、前記送信手段が、前記入力制御手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信し、前記符号化手段が、前記番組表のデータを前記第１の装置に適した符号化方式で符号化し、前記コンテンツデータを前記第２の装置に適した符号化方式で符号化するステップを含み、前記番組表のデータは、前記第１の装置に、前記コンテンツデータは、前記第２の装置にそれぞれ適した符号化方式で前記符号化手段により符号化された後に、前記送信手段により送信される。
【００１１】
本発明の一側面の第１の記録媒体は、入力制御手段、受信手段、記憶手段、送信手段、および符号化手段を備える情報処理装置に、前記入力制御手段が、第１の装置で出されたデジタルテレビジョン放送により放送される番組の録画の指示を入力した場合、前記第１の装置が登録されている装置であり、前記指示を受理するための条件を満たしているか否かを判断し、登録されており、かつ条件を満たしていると判断したとき、その指示を受理する入力し、前記受信手段が、番組表のデータと、前記入力制御手段により受理された前記指示に従い、前記番組のコンテンツデータを受信し、前記記憶手段が、受信された前記番組表のデータと前記コンテンツデータを記憶し、前記送信手段が、前記入力制御手段により前記指示が受理された場合、前記記憶手段により記憶されている前記番組表のデータを読み出し、前記第１の装置に送信し、第２の装置から前記記憶手段により記憶されている前記コンテンツデータの送信が指示された場合、前記第２の装置が登録されている装置であるか否かを判断し、登録されていると判断したとき、その指示を受理し、その指示に従い、前記記憶手段から前記コンテンツデータを読み出し、前記第２の装置に送信し、前記符号化手段が、前記番組表のデータを前記第１の装置に適した符号化方式で符号化し、前記コンテンツデータを前記第２の装置に適した符号化方式で符号化するステップを含み、前記番組表のデータは、前記第１の装置に、前記コンテンツデータは、前記第２の装置にそれぞれ適した符号化方式で前記符号化手段により符号化された後に、前記送信手段により送信される処理を実行させるコンピュータが読み取り可能なプログラムが記録されている。
【００１２】
本発明の一側面の情報処理システムは、ネットワークを介してデータの授受を行う第１の情報処理装置と第２の情報処理装置から構成される情報処理システムにおいて、前記第１の情報処理装置は、前記第２の情報処理装置に対して、所定の番組の録画を指示する第１の指示手段と、前記第１の指示手段による指示に対応して、前記第２の情報処理装置が録画した番組のコンテンツデータの送信を、前記第２の情報処理装置に対して指示する第２の指示手段と、前記第２の指示手段による指示に対応して、前記第２の情報処理装置が送信した前記コンテンツデータを受信し再生する再生手段とを含み、前記第２の情報処理装置は、前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行う設定手段と、番組表のデータと、前記設定手段により受理された前記指示に従い、前記番組のコンテンツデータを受信する受信手段と、前記受信手段により受信された前記番組表のデータと前記コンテンツデータを記憶する記憶手段と、前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信する送信手段と、前記番組表のデータと前記コンテンツデータを前記第１の情報処理装置に適した符号化方式で符号化する符号化手段とを備え、前記番組表のデータと前記コンテンツデータは、前記第１の情報処理装置に適した符号化方式で符号化された後に前記第１の情報処理装置に送信される。
【００１３】
本発明の一側面の第２の情報処理方法は、ネットワークを介してデータの授受を行う第１の情報処理装置と第２の情報処理装置から構成される情報処理システムの情報処理方法において、第１の指示手段、第２の指示手段、および生成手段を備える前記第１の情報処理装置の情報処理方法は、前記第１の指示手段が、前記第２の情報処理装置に対して、所定の番組の録画を指示し、前記第２の指示手段が、前記第１の指示手段による指示に対応して、前記第２の情報処理装置が録画した番組のコンテンツデータの送信を、前記第２の情報処理装置に対して指示し、前記再生手段が、前記前記第２の指示手段による指示に対応して、前記第２の情報処理装置が送信した前記コンテンツデータを受信し再生するステップを含み、設定手段、受信手段、記憶手段、送信手段、および符号化手段を備える前記第２の情報処理装置の情報処理方法は、前記設定手段が、前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行い、前記受信手段が、番組表のデータと、前記設定手段により受理された前記指示に従い、前記番組のコンテンツデータを受信し、前記記憶手段が、前記受信手段により受信された前記番組表のデータと前記コンテンツデータを記憶し、前記送信手段が、前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信し、前記符号化手段が、前記番組表のデータと前記コンテンツデータを前記第１の情報処理装置に適した符号化方式で符号化するステップを含み、前記番組表のデータと前記コンテンツデータは、前記第１の情報処理装置に適した符号化方式で符号化された後に前記第１の情報処理装置に送信される。
【００１４】
本発明の一側面の第２の記録媒体は、ネットワークを介してデータの授受を行う第１の情報処理装置と第２の情報処理装置から構成される情報処理システムの情報処理用のプログラムであって、第１の指示手段、第２の指示手段、および生成手段を備える前記第１の情報処理装置の情報処理用のプログラムは、前記第１の指示手段が、前記第２の情報処理装置に対して、所定の番組の録画を指示し、前記第２の指示手段が、前記第１の指示手段による指示に対応して、前記第２の情報処理装置が録画した番組のコンテンツデータの送信を、前記第２の情報処理装置に対して指示し、前記再生手段が、前記前記第２の指示手段による指示に対応して、前記第２の情報処理装置が送信した前記コンテンツデータを受信し再生するステップを含み、設定手段、受信手段、記憶手段、送信手段、および符号化手段を備える前記第２の情報処理装置の情報処理用のプログラムは、前記設定手段が、前記第１の情報処理装置で出された録画の指示を入力した場合、前記第１の情報処理装置が登録されている装置であり、前記指示を受理するための条件を満たしているか否かを判断し、登録されており、かつ条件を満たしていると判断したとき、前記第１の指示手段により指示された前記番組の録画を実行するための設定を行い、前記受信手段が、番組表のデータと、前記設定手段により受理された前記指示に従い、前記番組のコンテンツデータを受信し、前記記憶手段が、前記受信手段により受信された前記番組表のデータと前記コンテンツデータを記憶し、前記送信手段が、前記第１の情報処理装置により、前記設定手段により前記指示が受理された場合、前記記憶手段により記憶されている前記番組表のデータを読み出し、前記第１の情報処理装置に送信し、第１の情報処理装置から前記記憶手段により記憶されている前記コンテンツデータの送信が指示された場合、前記第１の情報処理装置が登録されている装置であるか否かを判断し、登録されていると判断したとき、その指示を受理し、その指示に従い、前記記憶手段から前記コンテンツデータを読み出し、前記第１の情報処理装置に送信し、前記符号化手段が、前記番組表のデータと前記コンテンツデータを前記第１の情報処理装置に適した符号化方式で符号化するステップを含み、前記番組表のデータと前記コンテンツデータは、前記第１の情報処理装置に適した符号化方式で符号化された後に前記第１の情報処理装置に送信されるコンピュータが読み取り可能なプログラムが記録されている記録媒体。
【００１５】
本発明の一側面の情報処理装置および第１の情報処理方法、並びに第１の記録媒体のプログラムにおいては、第１の装置で出されたデジタルテレビジョン放送により放送される番組の録画の指示が入力された場合、第１の装置が登録されている装置であり、指示を受理するための条件を満たしているか否かが判断され、登録されており、かつ条件を満たしていると判断されたとき、その指示が受理され、番組表のデータと番組のコンテンツデータが受信され、記憶され、録画の指示が受理された場合、記憶されている番組表のデータが読み出され、第１の装置に送信され、第２の装置から記憶されているコンテンツデータの送信が指示された場合、第２の装置が登録されている装置であるか否かが判断され、登録されていると判断されたとき、その指示が受理され、その指示に従い、コンテンツデータが読み出され、第２の装置に送信され、番組表のデータが第１の装置に適した符号化方式で符号化され、コンテンツデータが第２の装置に適した符号化方式で符号化され、番組表のデータは、第１の装置に、コンテンツデータは、第２の装置にそれぞれ適した符号化方式で符号化された後に送信される。
【００１６】
本発明の一側面の情報処理システムおよび第２の情報処理方法、並びに第２の記録媒体のプログラムにおいては、ネットワークを介してデータの授受を行う第１の情報処理装置と第２の情報処理装置から構成され、第１の情報処理装置は、第２の情報処理装置に対して、所定の番組の録画を指示し、第２の情報処理装置が録画した番組のコンテンツデータの送信を、第２の情報処理装置に対して指示し、第２の情報処理装置が送信したコンテンツデータを受信し再生し、第２の情報処理装置は、第１の情報処理装置で出された録画の指示を入力した場合、第１の情報処理装置が登録されている装置であり、指示を受理するための条件を満たしているか否かを判断し、登録されており、かつ条件を満たしていると判断したとき、指示された番組の録画を実行するための設定を行い、番組表のデータと、番組のコンテンツデータを受信し、記憶し、第１の情報処理装置により、番組表のデータを読み出し、第１の情報処理装置に送信し、コンテンツデータの送信が指示された場合、第１の情報処理装置が登録されている装置であるか否かを判断し、登録されていると判断したとき、その指示を受理し、その指示に従い、コンテンツデータを読み出し、第１の情報処理装置に送信し、番組表のデータとコンテンツデータを第１の情報処理装置に適した符号化方式で符号化し、番組表のデータとコンテンツデータは、第１の情報処理装置に適した符号化方式で符号化された後に第１の情報処理装置に送信される。
【００１７】
【発明の実施の形態】
以下に、本発明の実施の形態について、図面を参照しながら説明する。図１は、本発明を適用した情報処理システムの一実施の形態の構成を示した図である。図１においては、携帯情報端末１−１乃至１−４が接続されているネットワークシステムを示し、通信サービスの提供エリアを所望の大きさに分割したセル内にそれぞれ固定無線局である基地局２−１乃至２−４が設置されている。これらの基地局２−１乃至２−４には、移動無線局である携帯情報端末１−１乃至１−４が、例えばW-CDMA（Wideband-Code Division Multiple Access）と呼ばれる符号分割多元接続方式によって無線接続され、２[GHz]の周波数帯域を使用して最大２[Mbps]のデータ転送速度で大容量データを高速にデータ通信し得るようになっている。
【００１８】
このように携帯情報端末１−１乃至１−４は、W-CDMA方式によって大容量データを高速にデータ通信し得るので、音声通話だけでなく電子メールの送受信、簡易ホームページの閲覧、画像の送受信、また、後述するテレビジョン放送の番組の視聴等の多種に及ぶデータ通信を実行し得る。
【００１９】
また基地局２−１乃至２−４は、有線回線を介して公衆回線網３に接続されており、当該公衆回線網３には、インターネット５や、図示しない多くの加入者有線端末、コンピュータネットワーク及び企業内ネットワーク等が接続されている。公衆回線網３には、インターネットサービスプロバイダのアクセスサーバ６も接続されており、当該アクセスサーバ６には当該インターネットサービスプロバイダが保有するコンテンツデータサーバ７が接続されている。
【００２０】
このコンテンツデータサーバ７は、加入者有線端末や携帯情報端末１−１乃至１−４からの要求に応じて例えば簡易ホームページ等のコンテンツデータを例えばコンパクトHTML（Hyper Text Markup Language）形式のファイルとして提供する。
【００２１】
ところでインターネット５には、多数のWWWサーバ８−１乃至８−Ｎが接続され、TCP/IP（Transmission Control Protocol/Internet Protocol）のプロトコルに従って加入者有線端末や携帯情報端末１−１乃至１−４からWWWサーバ８−１乃至８−Ｎに対してアクセスできる。
【００２２】
因みに携帯情報端末１−１乃至１−４は、図示しない基地局２−１乃至２−４までを２ [Mbps] の簡易トランスポートプロトコルで通信し、当該基地局２−１乃至２−４からインターネット３を介してWWWサーバ８−１乃至８−ＮまでをTCP/IPプロトコルで通信する。
【００２３】
なお管理制御装置４は、公衆回線網３を介して加入者有線端末や携帯情報端末１−１乃至１−４に接続されており、当該加入者有線端末や携帯情報端末１−１乃至１−４に対する認証処理や課金処理等を行う。
【００２４】
本実施の形態では、公衆回線網３には、さらに予約装置９と録画装置１０が接続され、インターネット５には、録画サーバ１１が接続される。
【００２５】
次に、携帯情報端末１−１乃至１−４について説明する。携帯情報端末１−１と１−２は、PDA（Personal Digital Assistance）などと称されるものであり、図２に、その外観の構成を示す。携帯情報端末１−１または１−２としてのPDA２０は、図２に示すように、表示部２１、キー２２、およびジョグダイヤル２３などが設けられている。
【００２６】
表示部２１は、液晶表示装置などの薄型の表示装置で構成され、アイコン、サムネイル、またはテキストなどの画像を表示する。表示部２１の上側には、タッチパッドが設けられている。キー２２は、マイクロフォン、または入力キーなどから構成され、表示部２１に表示されたアイコンまたはサムネイルの選択などを入力する。ジョグダイヤル２３は、回転操作または本体側への押圧操作に対応して、表示部２１に表示されたアイコンまたはサムネイルの選択などを入力する。
【００２７】
図３は、PDA２０の構成を説明する図である。CPU（Central Processing Unit）３１は、発信器３２から供給されるクロック信号に同期して、Flash ROM（Read-only Memory）３３またはEDO DRAM（Extended Data Out Dynamic Random-Access Memory）３４に格納されている表示プログラムなどの各種プログラムを実行する。Flash ROM３３は、EEPROM（Electrically Erasable Programmable Read-Only Memory）の一種であるフラッシュメモリで構成され、一般的には、CPU３１が使用するプログラムや演算用のパラメータのうちの基本的に固定のデータを格納する。EDO DRAM３４は、CPU３１の実行において使用するプログラムや、その実行において適宜変化するパラメータを格納する。
【００２８】
メモリースティックインターフェース３５は、装着されているメモリースティック（商標）４５からデータを読み出すとともに、CPU３１から供給されたデータをメモリースティック４５に書き込む。
【００２９】
ＵＳＢ（Universal Sirial Bus）インターフェース３６は、発信器３７から供給されるクロック信号に同期して、接続されているＵＳＢ機器であるドライブ４６からデータまたはプログラムを受信するとともに、CPU３１から供給されたデータをドライブ４６に供給する。ドライブ４６は、装着されている磁気ディスク２０１、光ディスク２０２、光磁気ディスク２０３、または半導体メモリ２０４に記録されているデータまたはプログラムを読み出して、そのデータまたはプログラムを、ＵＳＢインターフェース３６を介して接続されているCPU３１またはEDO DRAM３４に供給する。
【００３０】
Flash ROM３３，EDO DRAM３４、メモリースティックインターフェース３５、およびＵＳＢインターフェース３６は、アドレスバスおよびデータバスを介して、CPU３１に接続されている。
【００３１】
表示部２１は、ＬＣＤバスを介して、CPU３１からデータを受信し、受信したデータに対応する画像または文字などを表示する。タッチパッド制御部３８は、表示部２１の上側に設けられたタッチパッドが操作されたとき、操作に対応したデータを表示部２１から受信し、受信したデータに対応する信号をシリアルバスを介してCPU３１に供給する。
【００３２】
ＥＬ（Electroluminescence）ドライバ３９は、表示部２１の液晶表示部の裏側に設けられている電界発光素子を動作させ、表示部２１の表示の明るさを制御する。
【００３３】
赤外線通信部４０は、UART（Universal asynchronous receiver-transmitter）を介して、CPU３１から受信したデータを赤外線を媒体として送信するとともに、他の機器から送信された赤外線を媒体とするデータを受信して、CPU３１に供給する。また、PDA２０は、UARTを介して、他の機器と通信することができる。
【００３４】
通信部４７は、インターネット５などと接続し、CPU３１から供給されたデータ（例えば、メールなど）を、所定の方式のパケットに格納して、インターネット２を介して、相手に送信する。また、通信部４２は、インターネット２を介して、相手から受信したパケットに格納されているデータ（例えば、メールなど）、またはプログラムをCPU３１に出力する。
【００３５】
電源回路４２は、装着されているバッテリ４３または接続されているＡＣ（Alternating current）アダプタ４４から供給される電源の電圧を変換して、電源をCPU３１乃至通信部４７に供給する。
【００３６】
携帯情報端末１−３と１−４は、携帯電話などと称されるものであり、図４に、その外観の構成を示す。携帯端末１−３と１−４は、画像を撮像できるカメラを備えた携帯電話であり、以下の説明においては、携帯端末１−３と１−４を、カメラ付デジタル携帯電話機５０と記述する。図４に示すようにカメラ付デジタル携帯電話機５０は、中央のヒンジ部５１を境に表示部５２と本体５３とに分けられており、当該ヒンジ部５１を介して折り畳み可能に形成されている。
【００３７】
表示部５２には、上端左部に送受信用のアンテナ５４が引出し及び収納可能な状態に取り付けられており、当該アンテナ５４を介して基地局２との間で電波を送受信する。また表示部５２には、上端中央部にほぼ１８０度の角度範囲で回動自在なカメラ部５５が設けられており、当該カメラ部５５のCCDカメラ５６によって所望の撮像対象を撮像し得る。
【００３８】
ここで表示部５２は、カメラ部５５がユーザによってほぼ１８０度回動されて位置決めされた場合、図５に示すように当該カメラ部５５の背面側中央に設けられたスピーカ５７が正面側に位置することになり、これにより通常の音声通話状態に切り換わる。
【００３９】
さらに表示部５２には、その正面に液晶ディスプレイ５８が設けられており、電波の受信状態、電池残量、電話帳として登録されている相手先名や電話番号及び発信履歴等の他、電子メールの内容、簡易ホームページ、カメラ部５５のCCDカメラ５６で撮像した画像を表示し得る。
【００４０】
一方、本体５３には、その表面に「０」乃至「９」の数字キー、発呼キー、リダイヤルキー、終話及び電源キー、クリアキー及び電子メールキー等の操作キー５９が設けられており、当該操作キー５９を用いて各種指示を入力し得る。また本体５３には、操作キー５９の下部にメモボタン６０やマイクロフォン６１が設けられており、当該メモボタン６０によって通話中の相手の音声を録音し得ると共に、マイクロフォン６１によって通話時のユーザの音声を集音する。
【００４１】
さらに本体５３には、操作キー５９の上部に回動自在なジョグダイヤル６２が当該本体５３の表面から僅かに突出した状態で設け等られており、当該ジョグダイヤル６２に対する回動操作に応じて液晶ディスプレイ５８に表示されている電話帳リストや電子メールのスクロール動作、簡易ホームページのページ捲り動作及び画像の送り動作等の種々の動作を実行する。
【００４２】
例えば本体５３は、ユーザによるジョグダイヤル６２の回動操作に応じて液晶ディスプレイ５８に表示された電話帳リストの複数の電話番号の中から所望の電話番号が選択され、当該ジョグダイヤル６２が本体５３の内部方向に押圧されると、選択された電話番号を確定して当該電話番号に対して自動的に発呼処理を行う。
【００４３】
なお本体５３は、背面側に図示しないバッテリパックが挿着されており、終話及び電源キーがオン状態になると、当該バッテリパックから各回路部に対して電力が供給されて動作可能な状態に起動する。
【００４４】
ところで本体５３には、当該本体５３の左側面上部に抜差自在なメモリースティック（ソニー株式会社の商標）６３を挿着するためのメモリースティックスロット６４が設けられており、メモボタン６０が押下されるとメモリースティック６３に通話中の相手の音声を記録したり、ユーザの操作に応じて電子メール、簡易ホームページ、CCDカメラ５６で撮像した画像を記録し得る。
【００４５】
ここでメモリースティック６３は、本願出願人であるソニー株式会社によって開発されたフラッシュメモリカードの一種である。このメモリースティック６３は、縦21.5×横50×厚さ2.8[mm] の小型薄型形状のプラスチックケース内に電気的に書換えや消去が可能な不揮発性メモリであるEEPROM（Electrically Erasable and Programmable Read Only Memory ）の一種であるフラッシュメモリ素子を格納したものであり、１０ピン端子を介して画像や音声、音楽等の各種データの書き込み及び読み出しが可能となっている。
【００４６】
またメモリースティック６３は、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現していると共に、誤消去防止スイッチを設けて高い信頼性を確保している。
【００４７】
従ってカメラ付デジタル携帯電話機５０は、このようなメモリースティック６３を挿着可能に構成されているために、当該メモリースティック６３を介して他の電子機器との間でデータの共有化を図ることができる。
【００４８】
図６に示すように、カメラ付デジタル携帯電話機５０は、表示部５２及び本体５３の各部を統括的に制御するようになされた主制御部７０に対して、電源回路部７１、操作入力制御部７２、画像エンコーダ７３、カメラインターフェース部７４、ＬＣＤ（Liquid Crystal Display）制御部７５、画像デコーダ７６、多重分離部７７、記録再生部８２、変復調回路部７８及び音声コーデック７９がメインバス８０を介して互いに接続されると共に、画像エンコーダ７３、画像デコーダ７６、多重分離部７７、変復調回路部７８及び音声コーデック７９が同期バス８１を介して互いに接続されて構成されている。
【００４９】
電源回路部７１は、ユーザの操作により終話及び電源キーがオン状態にされると、バッテリパックから各部に対して電力を供給することによりカメラ付デジタル携帯電話機５０を動作可能な状態に起動する。
【００５０】
カメラ付デジタル携帯電話機５０は、ＣＰＵ、ＲＯＭ及びＲＡＭ等でなる主制御部７０の制御に基づいて、音声通話モード時にマイクロフォン６１で集音した音声信号を音声コーデック７９によってデジタル音声データに変換し、これを変復調回路部７８でスペクトラム拡散処理し、送受信回路部８３でデジタルアナログ変換処理及び周波数変換処理を施した後にアンテナ５４を介して送信する。
【００５１】
またカメラ付デジタル携帯電話機５０は、音声通話モード時にアンテナ５４で受信した受信信号を増幅して周波数変換処理及びアナログデジタル変換処理を施し、変復調回路部７８でスペクトラム逆拡散処理し、音声コーデック７９によってアナログ音声信号に変換した後、これをスピーカ５７を介して出力する。
【００５２】
さらにカメラ付デジタル携帯電話機５０は、データ通信モード時に電子メールを送信する場合、操作キー５９及びジョグダイヤル６２の操作によって入力された電子メールのテキストデータを操作入力制御部７２を介して主制御部７０に送出する。
【００５３】
主制御部７０は、テキストデータを変復調回路部７８でスペクトラム拡散処理し、送受信回路部８３でデジタルアナログ変換処理及び周波数変換処理を施した後にアンテナ５４を介して基地局２（図１）へ送信する。
【００５４】
これに対してカメラ付デジタル携帯電話機５０は、データ通信モード時に電子メールを受信する場合、アンテナ５４を介して基地局２から受信した受信信号を変復調回路部７８でスペクトラム逆拡散処理して元のテキストデータを復元した後、ＬＣＤ制御部７５を介して液晶ディスプレイ５８に電子メールとして表示する。この後カメラ付デジタル携帯電話機５０は、ユーザの操作に応じて受信した電子メールを記録再生部８２を介してメモリースティック６３に記録することも可能である。
【００５５】
一方カメラ付デジタル携帯電話機５０は、データ通信モード時に画像データを送信する場合、CCDカメラ５６で撮像された画像データをカメラインターフェース部７４を介して画像エンコーダ７３に供給する。
【００５６】
因みにカメラ付デジタル携帯電話機５０は、画像データを送信しない場合には、CCDカメラ５６で撮像した画像データをカメラインターフェース部７４及びＬＣＤ制御部７５を介して液晶ディスプレイ５８に直接表示することも可能である。
【００５７】
画像エンコーダ７３は、CCDカメラ５６から供給された画像データを例えばＭＰＥＧ（Movig Picture Experts Group ）２やＭＰＥＧ４等の所定の符号化方式によって圧縮符号化することにより符号化画像データに変換し、これを多重分離部７７に送出する。このとき同時にカメラ付デジタル携帯電話機５０は、CCDカメラ５６で撮像中にマイクロフォン６１で集音した音声を音声コーデック７９を介してデジタルの音声データとして多重分離部７７に送出する。
【００５８】
多重分離部７７は、画像エンコーダ７３から供給された符号化画像データと音声コーデック７９から供給された音声データとを所定の方式で多重化し、その結果得られる多重化データを変復調回路部７８でスペクトラム拡散処理し、送受信回路部８３でデジタルアナログ変換処理及び周波数変換処理を施した後にアンテナ５４を介して送信する。
【００５９】
これに対してカメラ付デジタル携帯電話機５０は、データ通信モード時に例えば簡易ホームページ等にリンクされた動画像ファイルのデータを受信する場合、アンテナ５４を介して基地局２から受信した受信信号を変復調回路部７８でスペクトラム逆拡散処理し、その結果得られる多重化データを多重分離部７７に送出する。
【００６０】
多重分離部７７は、多重化データを分離することにより符号化画像データと音声データとに分け、同期バス８１を介して当該符号化画像データを画像デコーダ７６に供給すると共に当該音声データを音声コーデック７９に供給する。
【００６１】
画像デコーダ７６は、符号化画像データをＭＰＥＧ２やＭＰＥＧ４等の所定の符号化方式に対応した復号化方式でデコードすることにより再生動画像データを生成し、これをＬＣＤ制御部７５を介して液晶ディスプレイ５８に供給し、これにより、例えば、簡易ホームページにリンクされた動画像ファイルに含まれる動画データが表示される。
【００６２】
このとき同時に音声コーデック７９は、音声データをアナログ音声信号に変換した後、これをスピーカ５７に供給し、これにより、例えば、簡易ホームページにリンクされた動画像ファイルに含まる音声データが再生される。
【００６３】
この場合も電子メールの場合と同様にカメラ付デジタル携帯電話機５０は、受信した簡易ホームページ等にリンクされたデータをユーザの操作により記録再生部８２を介してメモリースティック６３に記録することが可能である。
【００６４】
以下の説明においては、携帯端末１−１乃至１−４としてのカメラ付デジタル携帯電話機５０を用いた場合を例に挙げ、カメラ付デジタル携帯電話機５０によりデジタルテレビジョン放送の視聴を行う方法について説明する。まず、第１の実施の形態として、図７に示したように、カメラ付デジタル携帯電話機５０と録画サーバ１１によるデジタルテレビジョン放送の視聴について説明する。図７において、ネットワーク１００は、公衆回線網３やインターネット５を含むものである。
【００６５】
録画サーバ１１は、ＢＳ（Brodcasting Satellite）デジタル放送、ＣＳ（Communications Satellite）デジタル放送、地上波デジタル放送などを受信する受信装置１１１を備えている。受信装置１１１により受信されたデジタルテレビジョン放送の番組のコンテンツデータ（映像データ、音声データを含むデータ）は、復号装置１１２により復号される。復号装置１１２により復号されたコンテンツデータは、携帯端末１−１乃至１−４（この場合、カメラ付デジタル携帯電話機５０）において視聴できるようなデータに符号化装置１１３により符号化される。
【００６６】
このようにして符号化されたコンテンツデータは、記憶装置１１４に記憶される。このような記憶動作については後述するが、ユーザからの指示があった番組（コンテンツデータ）に対して行われる。記憶装置１１４に記憶されたコンテンツデータは、ユーザからの指示（カメラ付デジタル携帯電話機５０からの再生要求）があったときに、通信装置１１５からネットワーク１００を介してカメラ付デジタル携帯電話機５０に供給される。制御装置１１６は、録画サーバ１１内の各部の動作を制御する。
【００６７】
図８に示したフローチャートを参照して、カメラ付デジタル携帯電話機５０と録画サーバ１１の間で行われる処理のうち、まず、番組を視聴するための前処理として行われるユーザ登録（視聴の要求の登録）について説明する。ステップＳ１において、ユーザの指示によりカメラ付デジタル携帯電話機５０は、登録内容の設定を行う。まず、ユーザが、カメラ付デジタル携帯電話機５０の操作キー５９やジョグダイヤル６２を用いて、所定の操作を行うことにより、登録開始の指示を出すと、カメラ付デジタル携帯電話機５０の操作入力制御部７２と主制御部７０は、登録開始の指示が出されたと判断する。そして、主制御部７０は、内蔵されているＲＯＭに記憶されている登録用のプログラムに従い、例えば、図９に示すような初期画面を液晶ディスプレイ５８上に表示させる。
【００６８】
図９に示した登録用の初期画面では、３つのサービスが表示されており、そのうちの”ＴＶ番組録画サービス”が番組視聴のための登録を行うサービスである。ここでは、番組視聴のための登録が行われるので、図９では、この”ＴＶ番組録画サービス”が選択され、他のサービスと区別が付くような表示がされている例を示している。
【００６９】
このようにして、サービスが選択されると、次に、図１０に示したように、どの放送網を希望するかをユーザに問う画面が液晶ディスプレイ５８上に表示される。この場合、”地上波デジタル”、”ＢＳデジタル”、および”ＣＳデジタル”という３つのデジタル放送網が選択できるようになっている。このうち、図１０では、”ＣＳデジタル”が選択された例を示している。
【００７０】
所望の放送網が選択されると、図１１に示したような画面が液晶ディスプレイ５８上に表示される。ＣＳデジタル放送は、一般的に、有料放送であり、有料放送の場合には、まず、加入する必要があるために、その加入を行うか否かをユーザに問う画面が表示される必要がある。ユーザが選択した放送網が、無料で番組を提供する放送網であるならば、このような図１１に示したような画面を表示する必要はなく、後述する図１４に示したような画面に、図１０に示したような画面から移行して良い。
【００７１】
ここでは、有料放送に加入するとして説明を続ける。なお、図１１に示したような画面で、ユーザが”キャンセル”を選択すると、図９に示した画面（登録用の初期画面）、または、図１０に示した画面（１つ前の画面）に戻る。どちらの画面に戻るように設定しても良い。また、通常液晶ディスプレイ５８上に表示されている画面（ユーザが操作をしていないときに、電話として受信待ちの状態のときに表示されている画面）に戻るようにしても良い。
【００７２】
図１１に示したような画面において、”加入する”が選択されると、図１２に示したような画面に切り替えられる。図１２に示した画面は、さらに加入する意志をユーザに確認するための画面である。図１２に示したように、表示されるメニューとして”録画サービスへ進む”、”他の放送網を選ぶ”、および”加入をキャンセルする”という３つのメニューが表示される。”録画サービスへ進む”が選択されると、図１３に示したような画面に切り替えられる。
【００７３】
ここで録画サービスとは、カメラ付デジタル携帯電話機５０のように、直接デジタルテレビジョン放送を受信し、再生する機能を備えていなくても、デジタルテレビジョン放送を楽しめるようにするために、一旦、録画サーバ１１にデジタルテレビジョン放送の番組を録画させるサービスのことである。
【００７４】
”他の放送局を選ぶ”が選択された場合、図１０に示したような画面に切り替わる。”加入をキャンセルする”が選択された場合、図１１において”キャンセル”が選択された場合と同様の処理が実行される。
【００７５】
図１３に示した液晶ディスプレイ５８上の表示例では、録画サービスとして３つのサービスが設定されていることが示されている。即ち、”録画し放題”、”月２０時間コース”、および”時間単位”の３つのサービスが設定されている。このように、録画時間に応じて課金するようにしても良いし、データ量や番組数に応じて課金するなどしても良い。なお、各メニューの右側に表示されている”詳細”というボタンは、各サービスの詳細な情報を参照したいときに操作される。
【００７６】
このような設定が終了されると、図１４に示したような、登録内容の確認画面が液晶ディスプレイ５８上に表示される。図１４に示したように、図９乃至図１３に示した各画面において設定された事項が、それぞれ表示される。ユーザは、この表示された内容で登録させたいとき、”ＯＫ”というボタンを操作すればよいし、登録させたくないとき”キャンセル”というボタンを操作すればよい。
【００７７】
ステップＳ１において、上述したような登録内容の設定が行われると、ステップＳ２に進み、決済方法の入力の処理が実行される。決済の方法としては、銀行からの自動引き落としや、振り込みなどの方法も考えられるが、ここでは、クレジットカードによる決済とする。また、カメラ付デジタル携帯電話機５０の通話料金と一緒に引き落とされるようにしても良い。クレジットカードによる決済の場合、ステップＳ２においては、液晶ディスプレイ５８上に、図１５に示したようなクレジットカード番号の入力画面が表示される。この画面にて、クレジットカード番号が入力されると、ステップＳ１において設定された登録内容と共に、ステップＳ３において、録画サーバ１１に対して送信される。
【００７８】
なお、ステップＳ２において行われる決済方法の設定は、録画サービスを利用するための料金の決済方法であり、デジタルテレビジョン放送の受信料の決済方法ではない。しかしながら、料金として、録画サービスとデジタルテレビジョン放送の受信料を含めた決済方法としても問題はない。
【００７９】
録画サーバ１１は、ステップＳ４において、ネットワーク１００を介してカメラ付デジタル携帯電話機５０から登録内容に関するデータを受信する。受信された登録内容に関するデータは、ステップＳ５において、制御装置１１６において解析される。ここで行われる解析は主に、受信したデータは、登録内容としてのデータを全て含んでいるか否かを判断することである。
【００８０】
ステップＳ５における解析の結果が用いられ、ステップＳ６において、登録内容として過不足ないデータであるか否かが判断される。ステップＳ６において、登録内容として過不足ないデータであると判断された場合、ステップＳ７に進み、登録処理が実行される。登録処理とは、具体的には、記憶装置１１４に、受信したデータに基づくデータ（ユーザのプロファイル）を記憶させることである。
【００８１】
ステップＳ７における登録処理が終了されると、ステップＳ８に進む。ステップＳ８の処理には、ステップＳ６において、解析結果がＯＫではないと判断された場合にも来る。ステップＳ７からステップＳ８に処理が進んだ場合、ユーザに登録が終了したことを認識させるようなメッセージを表示させるデータが送信され、ステップＳ６からステップＳ７の処理がスキップされてステップＳ８に処理が進んだ場合、登録が失敗したことを認識させるようなメッセージを表示させるデータが送信される。
【００８２】
カメラ付デジタル携帯電話機５０は、ステップＳ９において、録画サーバ１１からのデータを受信し、その受信したデータに基づく表示を行う。すなわち、上述したように、録画サーバ１１が登録を実行した場合、例えば、液晶ディスプレイ５８上に”登録完了”といったようなメッセージが表示され、録画サーバ１１が登録を実行しなかった場合、例えば、液晶ディスプレイ５８上に”登録をし直してください”といったメッセージが表示される。
【００８３】
なお、上述した登録内容の他に、ユーザの嗜好に関する情報も登録するようにしても良い。また、上述した説明においては、カメラ付デジタル携帯電話機５０と録画サーバ１１との間で通信を行うことにより登録処理が実行されたが、カメラ付デジタル携帯電話機５０のユーザが所定のフォーマットに基づく紙媒体の用紙に、所定の情報を記入し、録画サーバ１１側に郵送するなどの方法に基づき登録処理が実行されるようにしても良い。
【００８４】
さらに、上述した説明においては、ステップＳ１とステップＳ２の処理が終了した後、すなわち、登録内容が全てカメラ付デジタル携帯電話機５０側で設定された後、一括してデータを送信するようにしたが、１つ１つの登録内容毎に、録画サーバ１１とデータの送信と受信を行うことにより登録処理を実行するようにしても良い。
【００８５】
このようにした場合、カメラ付デジタル携帯電話機５０には登録用の初期画面（図９）のデータのみを記憶しておけばよい。また、キャンペーン中などにより、料金体系が異なるような場合も、録画サーバ１１側から図１３に示したような画面データが送信されるため、常に最新の料金体系に対応することができる。
【００８６】
このようにして、録画サーバ１１に録画させたい番組を提供している放送網の登録（契約）が終了されると、実際に録画サーバ１１に所望の番組（コンテンツデータ）の録画を指示することができる。図１６のフローチャートを参照して、番組の録画の指示について説明する。
【００８７】
ステップＳ２１において、カメラ付デジタル携帯電話機５０は、ユーザによる録画予約の指示を受ける。カメラ付デジタル携帯電話機５０の操作入力制御部７２と主制御部７０は、ユーザが操作キー５９またはジョグダイヤル６２を操作することにより指示したことは、録画予約の指示であると判断すると、図１７に示したような画面を液晶ディスプレイ５８上に表示させる。
【００８８】
図１７に示したように、液晶ディスプレイ５８上には、”番組を録画する”、”録画した番組を見る”という２つのメニューが表示される。このうち、番組の録画を指示するわけなので、”番組を録画する”が選択される。”番組を録画する”が選択されると、液晶ディスプレイ５８上の表示は、図１８に示したような画面に切り替えられる。切り替えられる画面は、契約されている放送網の一覧表示である。
【００８９】
図１８に示した表示例では、”ＣＳデジタル”という放送網のみが契約されていることを表している。契約されている放送網の情報は、カメラ付デジタル携帯電話機５０に記憶されている。１つの放送網としか契約されていない場合には、選択する必要性はないので、図１８のような画面を表示させずに、次の処理（画面）に進んでも良い。ステップＳ２２において、録画サーバ１１に対してデータが送信される。
【００９０】
送信されるデータとしては、録画の指示であることを示すデータ、どのカメラ付デジタル携帯電話機５０（ユーザ）からの指示であるかを識別するためのデータ、放送網に関するデータなどである。これらのデータをステップＳ２３において受信した録画サーバ１１は、ステップＳ２４において、内容の解析を開始する。その解析結果を用いて、ステップＳ２５において、契約が成立しているカメラ付デジタル携帯電話機５０（ユーザ）であるか否か、契約している内容で、録画が行える状態であるか否かなどを判断することにより、録画指示を受理するか否かが判断される。このような判断には、図８のフローチャートを参照して説明したような登録処理により記憶装置１１４に記憶されたデータ（ユーザのプロファイル）を用いて行われる。
【００９１】
契約の成立していないカメラ付デジタル携帯電話機５０からの録画予約の指示は受理されない。また、契約は成立しているが、例えば、その契約が月２０時間の契約であり、既に２０時間の録画が指示されている（録画済みである）場合にも、録画予約の指示は受理されない。このような受理されない要因があり、録画指示が受理できないと判断された場合、ステップＳ２６の処理はスキップされ、ステップＳ２７に進み、受理されない要因がなく、受理すると判断された場合、ステップＳ２６に進む。
【００９２】
ステップＳ２６において録画用データの作成が行われる。作成される録画用データとしては、この場合、ＣＳデジタル放送網の番組表や録画可能な時間などのデータを含むデータである。ここで、ＣＳデジタル放送網の番組表のデータは、録画用データの作成が行われる前の時刻において、録画サーバ１１の受信装置１１１で受信され、記憶装置１１４に既に記憶されている。記憶装置１１４に記憶される際、カメラ付デジタル携帯電話機５０に適した符号化が符号化装置１１３により施されて、ユーザ毎に記憶、管理される。
【００９３】
または、受信装置１１１により受信された番組表のデータは、そのまま、記憶装置１１４に記憶され、ステップＳ２６において、録画用データが作成される際に、記憶装置１１４から読み出さ、符号化装置１１３により、カメラ付デジタル携帯電話機５０に適した符号化が施されるようにしても良い。カメラ付デジタル携帯電話機５０に適した符号化に関するデータは、登録処理が行われた際に一緒に登録されるようにし、その登録内容が用いられるようにしてもよいし、ステップＳ２２において、カメラ付デジタル携帯電話機５０が録画サーバ１１に録画予約の指示に関するデータを送信する際に、そのデータに符号化に関するデータも含めて送信するようにしてもよい。
【００９４】
ここでは、携帯情報端末としてカメラ付デジタル携帯電話機５０を例に挙げて説明しているが、携帯情報端末としては、さまざまな形態の装置が考えられる。それらの装置は、それぞれ異なる解像度であるために、その装置に適した符号化を施してデータを提供する必要がある。このような符号化は、番組表のデータだけでなく、録画した番組を提供する（詳細は後述）際にも、そのコンテンツデータに対して行う必要がある。
【００９５】
ここで、符号化（フォーマット）について説明する。一般に、動画像を通信回線を介して伝送する場合、送信側での発生情報量に比して通信回線の伝送容量が小さいため、画像符号化による画像信号の圧縮が必要となる。この場合の動画像符号化方式としては、ＣＣＩＴＴ（国際電信電話諮問委員会）勧告のＨ．２６１方式が広く知られている。Ｈ．２６１方式では、入力動画像を、共通中間フォーマット（ＣＩＦ：Common Intermediate Format）か、又は縦横の画素数をＣＩＦの１／２に設定したＱＣＩＦ（Quarter ＣＩＦ：１／４ＣＩＦ）に変換して取り扱う。
【００９６】
このフォーマット変換は次のように行われる。図１９はその処理内容を模式的に示したものである。すなわち、ＱＣＩＦフォーマットの受信動画像データは、まず表示制御部２３内のバッファメモリに４フレーム分ずつ蓄積される（処理Ｓ１）。次に、この４フレームｆｒ１，ｆｒ２，ｆｒ３，ｆｒ４の同一座標位置における４個の画素が読み出され、これら４個「１」，「２」，「３」，「４」の画素の動きベクトルが合成される。そして、この合成された動きベクトルはしきい値と比較され、これにより「ベクトルなし」、「上ベクトル」、「下ベクトル」、「左ベクトル」、「右ベクトル」のいずれかに識別される。
【００９７】
次に、この合成された動きベクトルの識別結果に基づいて上記４個の画素の配置処理が行われる。図２０はその処理内容を示すものである。すなわち、先ず合成された動きベクトルがない場合には、ＱＣＩＦの４フレームｆｒ１，ｆｒ２，ｆｒ３，ｆｒ４の同一位置における４個の画素「１」，「２」，「３」，「４」を、同図（ａ）に示すようにランダムに配置する。また、合成された動きベクトルが「上ベクトル」の場合には、４個の画素「１」，「２」，「３」，「４」を同図（ｂ）に示すように時間的に後方のフレームの画素「３」，「４」が上方側となるように配置し、一方合成された動きベクトルが「下ベクトル」の場合には、４個の画素「１」，「２」，「３」，「４」を同図（ｃ）に示すように時間的に後方のフレームの画素「３」，「４」が下方側になるように配置する。さらに、合成された動きベクトルが「右ベクトル」の場合には、４個の画素「１」，「２」，「３」，「４」を同図（ｄ）に示すように時間的に後方のフレームの画素「３」，「４」が右側になるように配置し、一方合成された動きベクトルが「左ベクトル」の場合には、４個の画素「１」，「２」，「３」，「４」を同図（ｅ）に示すように時間的に後方のフレームの画素「３」，「４」が左側になるように配置する。
【００９８】
以後同様に、ＱＣＩＦのすべての画素についてその動きベクトルの合成ベクトルに応じた合成処理が行われる。そうして４フレーム分のＱＣＩＦを合成した１フレーム分のＣＩＦが生成されると、次の４フレーム分のＱＣＩＦをもとにＣＩＦフレームを生成する処理を行う。かくして、表示装置に対応した、ＱＣＩＦからＣＩＦにフォーマット変換された、ＱＣＩＦと同程度の解像度を有する受信画像データが表示される。
【００９９】
なお、ＣＩＦ及びＱＣＩＦの構成の詳細を図２１に示す。同図から明らかなように、ＱＣＩＦは１ラインの画素数及び１フレームのライン数がともにＣＩＦの１／２に設定されている。
【０１００】
図１６のフローチャートの説明に戻り、ステップＳ２６において、録画用データの作成が終了されると、または、ステップＳ２５において、録画指示を受理しないと判断されると、ステップＳ２６に進み、カメラ付デジタル携帯電話機５０に対してデータの送信が行われる。ステップＳ２６からステップＳ２７に進んだ場合に送信されるデータは、ステップＳ２６において作成された録画用データである。一方、ステップＳ２５からステップＳ２７に進んだ場合に送信されるデータは、録画予約を受理しない理由をユーザに認識させるようなメッセージ（例えば、”今月の録画可能時間は既に録画済みです”といったようなメッセージ）に関するデータである。
【０１０１】
ステップＳ２８において、録画サーバ１１から送信されたデータを受信したカメラ付デジタル携帯電話機５０は、その受信したデータに基づいた画像（メッセージ）を液晶ディスプレイ５８上に表示する。ステップＳ２９以降の処理は、録画サーバ１１において録画指示が受理された場合のみ実行される。すなわち、ステップＳ２８において、例えば、図２２に示したような画面が液晶ディスプレイ５８上に表示された場合のみ、ステップＳ２９以下の処理が実行される。
【０１０２】
図２２に示したように、録画サーバ１１において録画指示が受理されると、カメラ付デジタル携帯電話機５０の液晶ディスプレイ５８上には、番組表が表示される。この表示される番組表は、通常、放送局側から提供される番組表と同様のものでも良いが、ユーザの嗜好に合わせて作成されたものでも良い。ユーザの嗜好に合わせて番組表を作成する場合、録画サーバ１１において、ステップＳ２６で、録画用データとして番組表を作成する際、記憶装置１１４に記憶されているユーザの登録内容に応じて作成するようにすればよい。このようにするためには、登録内容としてユーザの嗜好に関する情報も記憶する必要がある。
【０１０３】
ユーザの嗜好に関する情報を記憶するようにすると、例えば、ユーザの嗜好に合った広告を提供することができる。広告は、図２２に示したような番組表の所定の領域（例えば、下側）に表示されるようにする。その広告は、ユーザの嗜好に合ったものなので、効果的な宣伝を行うことが可能となる。また、広告を表示させることにより、その広告を出す広告主から、広告料を徴収することができ、その広告料にて、録画サーバ１１の維持管理費などを得ることができるため、ユーザに対して無料、または、安い料金で、本実施の形態として説明しているサービスを提供することが可能となる。
【０１０４】
ステップＳ２９において、液晶ディスプレイ５８上に表示された番組表のなかから、ユーザが所定の操作を行うことにより、録画したい番組が指示された場合、ステップＳ３０において、指示された番組に関するデータが録画サーバ１１に対して送信される。ステップＳ３１において、カメラ付デジタル携帯電話機５０から送信されたデータは、録画サーバ１１に受信される。
【０１０５】
録画サーバ１１は、ステップＳ３２において、受信したデータの内容解析を実行する。何曜日の何時から何時までの番組が録画の対象として指示されたのかを調べる。そして、ステップＳ３３において、ステップＳ３２における解析結果を用いて、その録画予約を受理するか否かが判断される。受理されない場合として、例えば、ユーザとの契約が、月２０時間まで録画可能というものであったとき、既に１８時間録画されており、あらたに、３時間の録画予約であったような際には、契約している時間を超過してしまうので、録画予約は受理されない。
【０１０６】
ステップＳ３３において、録画予約を受理すると判断された場合、ステップＳ３４に進み、録画予約処理が行われる。録画予約処理としては、録画が指示された時間に放送を受信し記録するための設定、トータルの録画時間の更新、その更新に伴う課金処理（必要に応じて行われる）などである。このような録画予約処理が終了されると、ステップＳ３５において、録画予約の処理が終了したことをユーザに認識させるためのメッセージなどのデータがカメラ付デジタル携帯電話機５０に対して送信される。
【０１０７】
ステップＳ３５の処理には、ステップＳ３３において、録画予約を受理しないと判断された場合も来る。録画予約が受理されないケースとしては、上述したように、例えば、契約している時間を超過するような録画予約のために受理できなかった場合であり、そのようなときには、そのことをユーザに認識させるようなメッセージを表示させるためのデータが、ステップＳ３５において送信される。
【０１０８】
カメラ付デジタル携帯電話機５０は、ステップＳ３６において、録画サーバ１１から送信されたデータを受信し、その受信されたデータに基づく処理を実行する。実行される処理としては、液晶ディスプレイ５８上に、上述したようなユーザに録画予約が受理されたか否かを認識させるようなメッセージが表示される。
【０１０９】
なお、記憶装置１１４にユーザの嗜好に関するデータを記憶させた場合、その嗜好に適した番組を録画サーバ１１側で判断し、ユーザの指示がなくても録画するようにしても良い。また、録画予約が指示された番組が、連続ものであるような場合、１回の録画予約処理で、そのシリーズの予約が完了するようにしても良い。
【０１１０】
このようにして、録画サーバ１１には、ユーザからの指示により、番組の録画が予約されるわけだが、実際に受信された番組のコンテンツデータを記憶装置１１４に記録（録画）する際の処理について説明する。受信装置１１１により受信された番組のコンテンツデータは、復号装置１１２により復号され、さらに、符号化装置１１３により再符号化され、記憶装置１１４に記憶される。再符号化は、録画予約を指示したユーザの携帯情報端末（カメラ付デジタル携帯電話機５０）が扱えるデータにするために行われる。具体的には、携帯情報端末の通信速度、ハードウェアリソースなどを考慮し、最も適した符号化方式により符号化されたデータにされる。
【０１１１】
符号化されたコンテンツデータが記憶装置１１４に記憶される際、ユーザ毎に管理され、記憶されるようにする。すなわち、例えば、３人のユーザが同一の番組の録画予約を指示しているような場合、それぞれのユーザ毎にコンテンツデータを記憶し管理する。このように管理するようにすると、記憶や読み出しといった処理を簡便に取り扱うことができる。しかしながら、同一のコンテンツデータを複数記憶するために、記憶装置１１４の記憶容量を大きくしなくてはならないといった課題が生じる。
【０１１２】
そこで、コンテンツデータ自体は、記憶装置１１４内に１つだけ記憶するようにし、ユーザ毎には、どの番組の録画予約をしたかの情報のみを記憶、管理するようにする。このようにした場合、各ユーザの携帯情報端末に合った符号化方式で符号化してから記憶するということができなので、まず、受信装置１１１で受信されたコンテンツデータは、復号装置１１２により復号処理が施された後、または、復号処理は行われずに、記憶装置１１４に記憶される。
【０１１３】
このようにして録画サーバ１１に記憶（録画）された番組を、携帯情報端末（カメラ付デジタル携帯電話機５０）において視聴する場合の処理について、図２３のフローチャートを参照して説明する。ステップＳ５１において、番組視聴の指示が入力される。図２４に示したような画面が、液晶ディスプレイ５８上に表示され、ユーザは、２つの選択メニューのうち、”録画した番組を見る”を選択する。このようにしてユーザから番組視聴の要求が出されると、ステップＳ５２において、録画サーバ１１に対して、番組視聴の要求が出されたことを示すデータが送信される。
【０１１４】
録画サーバ１１は、ステップＳ５３において、視聴要求を受信し、ステップＳ５４において、その受信した要求を解析する。解析した結果として、例えば、どのカメラ付デジタル携帯電話機５０から送信されてきた要求か、そのカメラ付デジタル携帯電話機５０は、契約が成立している端末であるのかなどの情報が得られる。
【０１１５】
このようにして得られた結果を用いて、ステップＳ５５において、視聴要求を受理するか否かを判断する。受理しない場合の理由としては、例えば、契約されていない端末からの要求である場合などがある。
【０１１６】
ステップＳ５５において、視聴要求を受理すると判断された場合、ステップＳ５６に進み、録画されているコンテンツデータに関するデータの作成が行われる。作成されるデータは、視聴要求してきたカメラ付デジタル携帯電話機５０（ユーザ）により録画予約が指示され、記憶装置１１４に既に記憶されている番組（コンテンツデータ）を調査し、その番組の一覧表に関するものである。
【０１１７】
作成された番組の一覧表に関するデータは、ステップＳ５６においてカメラ付デジタル携帯電話機５０に対して送信される。一方、ステップＳ５５において、視聴要求を受理しないと判断された場合、ステップＳ５６の処理はスキップされ、ステップＳ５７に進むわけだが、このようなときには、例えば、”契約されていないので、視聴不可能です”といったメッセージがカメラ付デジタル携帯電話機５０の液晶ディスプレイ５８上に表示されるようなデータが送信される。
【０１１８】
ステップＳ５８において、カメラ付デジタル携帯電話機５０は、録画サーバ１１から送信されたデータを受信し、その受信したデータに基づく制御を開始する。すなわち、視聴が受理された場合には、ステップＳ５６において作成された番組の一覧表が、液晶ディスプレイ５８上に表示され、視聴が受理されなかった場合には、その理由をユーザに認識させるようなメッセージが表示される。
【０１１９】
液晶ディスプレイ５８上に番組に関する一覧表が、図２５に示したように表示された場合、ステップＳ５９に進み、視聴される番組の指示と、その指示を録画サーバ１１に伝えるためのデータが送信が行われる。図２５に示した表示例では、２つの番組が録画されていたことを示し、そのうち、”ワイドショーピックアップ”という番組が選択されたことを示している。
【０１２０】
ステップＳ６０において、録画サーバ１１は、カメラ付デジタル携帯電話機５０から送信されたデータを受信し、ステップＳ６１において、その受信したデータに基づく番組のコンテンツデータを記憶装置１１４から読み出し、通信装置１１５によりカメラ付デジタル携帯電話機５０に対して送出を開始する。
【０１２１】
記憶装置１１４にコンテンツデータがユーザ毎に記憶されている場合、ユーザ（カメラ付デジタル携帯電話機５０）に適した符号化が施されてた状態で記憶されているので、記憶装置１１４からコンテンツデータを読み出し、通信装置１１５によりカメラ付デジタル携帯電話機５０に対して送出するようにすればよい。
【０１２２】
記憶装置１１４がユーザ毎には、録画予約された番組に関するデータのみを記憶している場合、コンテンツデータに対してカメラ付デジタル携帯電話機５０に対応する符号化処理は施されていないので、記憶装置１１４から読み出されたコンテンツデータは、一旦、符号化装置１１３により符号化され、通信装置１１５により、カメラ付デジタル携帯電話機５０に対して送出される。なお、符号化処理を行わなくても、コンテンツデータを受信する携帯情報端末において処理できる場合は、符号化Ｓ処理を行う必要はなく、記憶装置１１４から読み出されたコンテンツデータは、通信装置１１５により送出される。
【０１２３】
なお、送出されるコンテンツデータ内に、ユーザの嗜好に合った広告のデータを含ませて送出するようにしても良い。すなわち、送出されるコンテンツデータ（番組）にコマーシャルが挿入されている場合、そのコマーシャルをユーザの嗜好に合ったものに切り替えて送出するようにしても良い。
【０１２４】
ステップＳ６２において、カメラ付デジタル携帯電話機５０は、録画サーバ１１からのコンテンツデータを受信し、そのコンテンツデータに基づき再生を開始する。カメラ付デジタル携帯電話機５０は、受信したコンテンツデータをリアルタイムに処理して液晶ディスプレイ５８上に画像を表示するようにしても良いし、一旦、メモリースティック６３に記憶してから処理を開始するようにしても良い。
【０１２５】
上述した説明においては、録画予約がされた番組のみを記憶装置１１４において記憶するようにしたが、受信装置１１１により受信された全ての番組を、録画予約がされている、いないに関わらず記憶しておくようにしても良い。このようにした場合、ユーザが録画予約し忘れてしまったような番組でも、視聴することが可能となる。
【０１２６】
なお、視聴が終了されたコンテンツデータは、ユーザの指示により、または、指示がなくても、記憶装置１１４から消去されるようにしても良い。
【０１２７】
上述した説明おいては、カメラ付デジタル携帯電話機５０において録画予約から視聴までの処理を行うとしたが、録画予約などを他の装置において行えるようにしても良い。そのような実施の形態として、図２６に示したような構成が考えられる。図２６に示した構成例では、録画予約処理は、予約装置９で行えるようになっている。
【０１２８】
予約装置９は、表示装置１２１、制御装置１２２、入力装置１２３、および通信装置１２４から構成されている。予約装置９は、例えば、ネットワーク１００を介して通信を行える機能を有するテレビジョン受像機であり、表示装置１２１は、受信した番組の映像を表示したり、録画予約の際の設定画面を表示したりする。
【０１２９】
入力装置１２３は、リモートコントローラを含み、カメラ付デジタル携帯電話機５０における操作キー５９やジョグダイヤル６２と同等の機能を有するものである。通信装置１２４は、ネットワーク１００を介して録画サーバ１１と通信を行う。制御装置１２２は、予約装置９内の各部を制御する。
【０１３０】
予約装置９を用いる場合、図１６のフローチャートを参照して説明した録画予約の処理のうち、カメラ付デジタル携帯電話機５０で行われる処理は予約装置９において行うことができる。
【０１３１】
このように、録画の予約を行う予約装置９を用いる場合、例えば、予約装置９がテレビジョン受像機である場合、表示画面が大きいために、見易く、予約処理をしやすいといった利点がある。また、録画サーバ１１から提供される番組表を用いなくても、家庭内から、ビデオテープレコーダなどの機器と同様の操作（例えば、Ｇコードなどを用いた方法）により録画予約を行うことができるといった利点もある。
【０１３２】
図２７に他の実施の形態の構成を示す。図２７に示した構成では、録画装置１０がネットワーク１００に接続され、録画サーバ１１の代わりとして用いられる。すなわち、図１６のフローチャートにおけるカメラ付デジタル携帯電話機５０と録画サーバ１１の処理を録画装置１０で行われる。その為に、録画装置１０は、受信装置１３１を備え、デジタルテレビジョン放送を受信できる機能を備える必要がある。
【０１３３】
また、録画装置１０は、受信装置１３１により受信されたコンテンツデータを復号する復号装置１３２、復号装置１３２で復号されたコンテンツデータをカメラ付デジタル携帯電話機５０にあうコンテンツデータに再符号化する符号化装置１３３、および、符号化装置１３３により符号化されたコンテンツデータを記憶する記憶装置１３４を備えている。さらに、録画装置１０は、ネットワーク１００を介して録画サーバ１１やカメラ付デジタル携帯電話機５０とデータの授受を行うための通信装置１３５と、録画装置１０内の各部を制御する制御装置１３６を備えている。
【０１３４】
図２７に示したような構成の場合、録画装置１０において受信から符号化までの処理を行うので、録画サーバ１１に受信装置１１１乃至復号化装置１１３を設ける必要はない。録画装置１０の記憶装置１３４は、メモリースティック６３である場合、コンテンツデータが記憶されているメモリースティック６３をカメラ付デジタル携帯電話機５０に装着することにより、記憶されている番組を視聴することができる。
【０１３５】
記憶装置１３４に記憶されているコンテンツデータを通信装置１３５を用いて、録画サーバ１１に送出し、録画サーバ１１の記憶装置１１４に記憶させるようにしても良い。また、記憶装置１３４に記憶せずに、符号化装置１３３により符号化されたコンテンツデータを直接録画サーバ１１に対して送出して記憶させるようにしても良い。このようにした場合、図２３のフローチャートを参照して説明したのと基本的に同様な処理により番組を視聴することが可能である。
【０１３６】
さらに他の実施の形態として、図２８に示したような構成でも良い。図２８に示した構成は、基本的に、図２７に示した構成と同様である。ただし、図２８に示した構成では、録画装置１０には復号処理と符号化処理を行う機能がなく、その機能は、録画サーバ１１に持たせた構成となっている。
【０１３７】
このような構成の場合、録画装置１０は、受信装置１３１で受信したコンテンツデータをそのまま、記憶装置１３４に記憶させ、その記憶されたコンテンツデータを録画サーバ１１に対して送出するようにする。または、受信装置１３１により受信されたコンテンツデータを直接録画サーバ１１に対して送出するようにしても良い。
【０１３８】
録画サーバ１１側の処理は、通信装置１１５で受信されたコンテンツデータを、既に上述した説明における、受信装置１１１で受信されたコンテンツデータを処理する場合と基本的に同様の処理である。
【０１３９】
上述した実施の形態においては、携帯情報端末としてカメラ付デジタル携帯電話機５０を例に挙げて説明したが、PDA２０においても同様にデジタル放送の番組を視聴することが可能である。また、携帯情報端末は、上述した装置に限らず、モバイルコンピュータなどにおいても、本発明を適用することが可能である。
【０１４０】
上述した一連の処理は、ハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４１】
この記録媒体は、図３に示すように、コンピュータとは別に、ユーザにプログラムを提供するために配布される、プログラムが記録されている磁気ディスク２０１（フロッピディスクを含む）、光ディスク２０２（CD-ROM（Compact Disk-Read Only Memory），DVD（Digital Versatile Disk）を含む）、光磁気ディスク２０３（MD（Mini-Disk）を含む）、若しくは半導体メモリ２０４などよりなるパッケージメディアにより構成されるだけでなく、コンピュータに予め組み込まれた状態でユーザに提供される、プログラムが記憶されているROM２や記憶部８が含まれるハードディスクなどで構成される。
【０１４２】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１４３】
また、本明細書において、システムとは、複数の装置により構成される装置全体を表すものである。
【０１４４】
【発明の効果】
本発明の一側面によれば、携帯可能な第１の情報処理装置においてデジタルテレビジョン放送の番組を視聴することが可能となる。
【図面の簡単な説明】
【図１】本発明を適用したネットワークシステムの一実施の形態の構成を示す図である。
【図２】  PDAの外観構成を示す図である。
【図３】  PDAの内部構成を示す図である。
【図４】カメラ付デジタル携帯電話機の外観構成を示す図である。
【図５】カメラ部を回動した時の表示部を示す図である。
【図６】カメラ付デジタル携帯電話機の内部構成を示す図である。
【図７】本発明の第１の実施の形態に関わる構成に関する図である。
【図８】図７に示した構成において行われる登録処理について説明するフローチャートである。
【図９】液晶ディスプレイ５８上に表示される表示例を示す図である。
【図１０】液晶ディスプレイ５８上に表示される表示例を示す図である。
【図１１】液晶ディスプレイ５８上に表示される表示例を示す図である。
【図１２】液晶ディスプレイ５８上に表示される表示例を示す図である。
【図１３】液晶ディスプレイ５８上に表示される表示例を示す図である。
【図１４】液晶ディスプレイ５８上に表示される表示例を示す図である。
【図１５】液晶ディスプレイ５８上に表示される表示例を示す図である。
【図１６】図７に示した構成において行われる録画予約処理について説明するフローチャートである。
【図１７】液晶ディスプレイ５８上に表示される表示例を示す図である。
【図１８】液晶ディスプレイ５８上に表示される表示例を示す図である。
【図１９】フォーマット変換について説明する図である。
【図２０】フォーマット変換について説明する図である。
【図２１】  ＣＩＦおよびＱＣＩＦの構成を示す図である。
【図２２】液晶ディスプレイ５８上に表示される表示例を示す図である。
【図２３】図７に示した構成において行われる視聴処理について説明するフローチャートである。
【図２４】液晶ディスプレイ５８上に表示される表示例を示す図である。
【図２５】液晶ディスプレイ５８上に表示される表示例を示す図である。
【図２６】本発明の第２の実施の形態に関わる構成に関する図である。
【図２７】本発明の第３の実施の形態に関わる構成に関する図である。
【図２８】本発明の第４の実施の形態に関わる構成に関する図である。
【符号の説明】
１  携帯情報端末，  ２  基地局，  ３  公衆回線網，  ４  管理制御装置，５  インターネット，  ６  アクセスサーバ，  ７  コンテンツデータサーバ，  ８  ＷＷＷサーバ，  ９  予約装置，  １０  録画装置，  １１  録画サーバ，  ２０  PDA，  ５０  カメラ付デジタル携帯電話機，  １００  ネットワーク，  １１１  受信装置，  １１２  復号装置，  １１３  符号化装置，  １１４  記憶装置，  １１５  通信装置，  １１６  制御装置，  １２１  表示装置，  １２２  制御装置，  １２３  入力装置，  １２４  通信装置，  １３１受信装置，  １３２  復号装置，  １３３  符号化装置，  １３４  記憶装置，  １３５  通信装置，  １３６  制御装置
【図１】
0004736166.tif 000002
【図２】
0004736166.tif 000003
【図３】
0004736166.tif 000004
【図４】
0004736166.tif 000005
【図５】
0004736166.tif 000006
【図６】
0004736166.tif 000007
【図７】
0004736166.tif 000008
【図８】
0004736166.tif 000009
【図９】
0004736166.tif 000010
【図１０】
0004736166.tif 000011
【図１１】
0004736166.tif 000012
【図１２】
0004736166.tif 000013
【図１３】
0004736166.tif 000014
【図１４】
0004736166.tif 000015
【図１５】
0004736166.tif 000016
【図１６】
0004736166.tif 000017
【図１７】
0004736166.tif 000018
【図１８】
0004736166.tif 000019
【図１９】
0004736166.tif 000020
【図２０】
0004736166.tif 000021
【図２１】
0004736166.tif 000022
【図２２】
0004736166.tif 000023
【図２３】
0004736166.tif 000024
【図２４】
0004736166.tif 000025
【図２５】
0004736166.tif 000026
【図２６】
0004736166.tif 000027
【図２７】
0004736166.tif 000028
【図２８】
0004736166.tif 000029